(57)【特許請求の範囲】
【請求項１】
外装体と、該外装体の内側に固定されている吸収性本体とを具備し、前記外装体は着用時に着用者の腹側に配される腹側領域と着用時に着用者の背側に配される背側領域とを有し、前記腹側領域及び前記背側領域それぞれの両側縁部が接合され、一対のサイドシール部が形成されるとともに、ウエスト開口部及び一対のレッグ開口部が形成されたパンツ型吸収性物品であって、
前記外装体は、構成する複数の不織布の内の少なくとも一部がスパンボンド不織布であり、該スパンボンド不織布は、その坪量が２０ｇ／ｍ2以下であり、複数の繊維融着部を有し、
前記サイドシール部を形成する前記外装体の前記腹側領域及び前記背側領域の接合面には、それぞれ、前記スパンボンド不織布が配されており、
前記サイドシール部は、シール部が、前記パンツ型吸収性物品の縦方向に間欠的に配されて形成されており、該シール部が該縦方向に直交する横方向に長い形状であり、
前記縦方向に隣り合う前記シール部どうしのピッチ（Ｐ）に対する該シール部の前記横方向の長さ（Ｌ）の割合が４０％以上１２０％以下であり、
前記サイドシール部における最も前記ウエスト開口部側又は最も前記レッグ開口部側の縦方向に隣り合う前記シール部どうしのピッチ（Ｐ）が、前記スパンボンド不織布を構成する隣り合う前記繊維融着部どうしの最大間隔（Ｄ）よりも小さく、
ピッチ（Ｐ）が１ｍｍ以上であり、最大間隔（Ｄ）が６ｍｍ以上１２ｍｍ以下であり、
複数の前記繊維融着部のエンボス率が６％以上１３％以下であり、該繊維融着部が前記スパンボンド不織布の全面に亘って一定に形成されており、
前記サイドシール部を構成する前記シール部の数に対する、前記スパンボンド不織布の前記繊維融着部と重なった前記シール部の数の割合が、前記サイドシール部において３０％以上であり、
前記サイドシール部を構成する複数の前記シール部が、同じ方向に延びており、該シール部と、前記スパンボンド不織布の複数の前記繊維融着部とが３種以上の角度で交差している、パンツ型吸収性物品。
【請求項２】
前記サイドシール部の前記シール部は、その輪郭の長さ（ＬＣ）が、前記繊維融着部どうしの最大間隔（Ｄ）以下である、請求項１に記載のパンツ型吸収性物品。
【請求項３】
前記サイドシール部を構成する前記シール部は、該シール部が延びる方向の長さ（Ｌ）が、前記縦方向に隣り合う前記シール部どうしのピッチ（Ｐ）よりも大きい請求項１又は２に記載のパンツ型吸収性物品。
【請求項４】
前記サイドシール部を構成する１つの前記シール部の融着強度が、０．２Ｎ以上４Ｎ以下である請求項１〜３の何れか１項に記載のパンツ型吸収性物品。
【請求項５】
ピッチ（Ｐ）が４ｍｍ以下である請求項１〜４の何れか１項に記載のパンツ型吸収性物品。
【発明の詳細な説明】
【技術分野】
【０００１】
本発明は、使い捨ておむつ等のパンツ型吸収性物品に関する。
【背景技術】
【０００２】
パンツ型使い捨ておむつとしては、従来、吸収体を有する吸収性本体と、該吸収性本体の非肌対向面側に配されて該吸収性本体を固定している外装体とを備え、且つ前身頃における外装体の左右両側縁と後身頃における外装体の左右両側縁とが接合されて一対のサイドシール部、ウエスト開口部及び一対のレッグ開口部が形成されているものが汎用されている。このようなパンツ型使い捨ておむつは、サイドシール部を破りこの部分を切り離して脱がせられるようになっている。
【０００３】
特許文献１には、複数個のシール部が縦方向に間欠的に配されて形成されたサイドシール部を両側部に有するパンツ型使い捨ておむつが記載されている。また、特許文献１に記載のおむつの備える各サイドシール部は、装着中の十分な強度と引き剥がし容易性との両立を図る為に、点状の溶着部の列が複数本配列したドットパターンで形成されており、該サイドシール部は、縦方向に、各溶着部の面積が小さい疎溶着領域と各溶着部の面積が大きい密溶着領域とを有していることが記載されている。      
【０００４】
これとは別の技術として、特許文献２には、エンボス部と非エンボス部とを有する不織布であって、エンボス部が所定の条件を満たすように配設されたエンボスパターンで構成されている不織布が記載されている。特許文献２に記載の不織布によれば、エンボス率が低く柔軟性に優れると共に耐毛羽立ち性にも優れている。
【先行技術文献】
【特許文献】
【０００５】
【特許文献１】特開２０１３−１４６４１９号公報
【特許文献２】ＷＯ２０１１／１２２２７７Ａ１号公報
【発明の概要】
【発明が解決しようとする課題】
【０００６】
近年、使い捨ておむつ等のパンツ型吸収性物品において、柔軟性に優れた肌触りの良い不織布の使用の機会が多くなっている。しかし、特許文献１及び特許文献２には、エンボス率の低い柔らかなスパンボンド不織布を用いた外装体を接合して形成されたサイドシール部を引き剥がす際に、各サイドシール部を構成するシール部が、安定したシール強度を有するようにすることに関して、何ら記載されていない。仮にシール部が安定したシール強度を有しなければ、サイドシール部が引き剥がし難く、廃棄時に余計な時間と手間がかかってしまう。
【０００７】
したがって本発明の課題は、前述した従来技術が有する欠点を解消し得るパンツ型吸収性物品を提供することにある。
【課題を解決するための手段】
【０００８】
本発明は、外装体と、該外装体の内側に固定されている吸収性本体とを具備し、前記外装体は着用時に着用者の腹側に配される腹側領域と着用時に着用者の背側に配される背側領域とを有し、前記腹側領域及び前記背側領域それぞれの両側縁部が接合され、一対のサイドシール部が形成されるとともに、ウエスト開口部及び一対のレッグ開口部が形成されたパンツ型吸収性物品であって、前記外装体は、構成する複数の不織布の内の少なくとも一部がスパンボンド不織布であり、該スパンボンド不織布は、その坪量が２０ｇ／ｍ２以下であり、複数の繊維融着部を有し、前記サイドシール部を形成する前記外装体の前記腹側領域及び前記背側領域の接合面には、それぞれ、前記スパンボンド不織布が配されており、前記サイドシール部は、シール部が、前記パンツ型吸収性物品の縦方向に間欠的に配されて形成されており、前記サイドシール部における最も前記ウエスト開口部側又は最も前記レッグ開口部側の縦方向に隣り合う前記シール部どうしのピッチ（Ｐ）が、前記スパンボンド不織布を構成する隣り合う前記繊維融着部どうしの最大間隔（Ｄ）よりも小さい、パンツ型吸収性物品を提供するものである。
【発明の効果】
【０００９】
本発明によれば、パンツ型吸収性物品の肌触りが良く、サイドシール部が安定したシール強度を有し、着用時の十分なシール強度が確保できると共に、サイドシール部を引き剥がす際には容易に引き剥がし易く、廃棄時に余計な時間と手間がかかり難い。
【図面の簡単な説明】
【００１０】
【図１】図１は、本発明のパンツ型吸収性物品の好ましい一実施形態であるパンツ型使い捨ておむつを模式的に示す斜視図である。
【図２】図２は、図１に示すおむつの展開かつ伸長状態を模式的に示す平面図である。
【図３】図３は、図１のＩＩＩ−ＩＩＩ線断面を模式的に示す断面図である。
【図４】図４は、図１に示すおむつの一方のサイドシール部を平面視した平面図である。
【図５】図５は、切断して図１に示すおむつの一方のサイドシール部を形成する前の形態において、シール部と繊維融着部との配置関係を示す要部拡大平面図である。
【図６】図６は、本発明のパンツ型吸収性物品の他の実施形態のおむつの一方のサイドシール部を形成する前の形態において、シール部と繊維融着部との配置関係を示す要部拡大平面図である（図５相当図）。
【発明を実施するための形態】
【００１１】
以下、本発明をその好ましい実施形態に基づき図面を参照しながら説明する。本発明のパンツ型吸収性物品の一実施形態であるパンツ型使い捨ておむつ１は、図１，図２に示すとおり、外装体３と、外装体３の内側に固定されている吸収性本体２とを具備している。外装体３は、おむつ１の外面を形成し、着用時に着用者の腹側に配される腹側領域Ａと、着用時に着用者の背側に配される背側領域Ｂとを有している。おむつ１においては、腹側領域Ａにおける外装体３の両側縁部Ａ１，Ａ１と背側領域Ｂにおける外装体３の両側縁部Ｂ１，Ｂ１とが接合されて一対のサイドシール部Ｓ，Ｓが形成されるとともに、ウエスト開口部ＷＯ及び一対のレッグ開口部ＬＯ，ＬＯが形成されている。
【００１２】
おむつ１は、図２に示すとおり、展開かつ伸長状態の平面視において、着用者の前後方向に相当する縦方向Ｘとこれに直交する横方向Ｙとを有している。おむつ１は、着用時に着用者の股下に配される股下領域Ｃ並びにその縦方向Ｘの前後に位置する腹側領域Ａ及び背側領域Ｂに区分することができる。股下領域Ｃにおける外装体３は、その縦方向Ｘに沿う左右両側縁部にレッグ開口部ＬＯ，ＬＯ形成用の凹欠部が形成されている。おむつ１は、図２に示すとおり、おむつ１を縦方向Ｘに二分する仮想中心線ＣＬ１を境にして、前身頃Ｆと後身頃Ｒとに区分することができる。
本明細書においては、
【００１３】
本明細書において、肌対向面は、パンツ型吸収性物品又はその構成部材（例えば吸収性本体）における、着用時に着用者の肌側に向けられる面であり、非肌対向面は、パンツ型吸収性物品又はその構成部材における、着用時に着用者の肌側とは反対側（着衣側）に向けられる面である。おむつ１において、縦方向Ｘは、おむつ１又はその構成部材である吸収性本体２の長辺に沿う方向（縦方向）に一致し、横方向Ｙは、使い捨ておむつ又はその構成部材である吸収性本体２の幅方向に一致する。
また、おむつ１は、縦方向Ｘに延びる縦中心線ＣＬ２に対して左右対称形をしている。従って、以下の説明では、左右対称な部分については、主に、一方のみについて説明する。
【００１４】
おむつ１では、吸収性本体２は、図２に示すとおり、一方向（縦方向Ｘ）が相対的に長い縦長の形状を有している。吸収性本体２は、肌対向面を形成する表面シート２ａと、非肌対向面を形成する裏面シート２ｂと、これら両シート間に介在配置された液保持性の吸収体２ｃとを具備する。吸収体２ｃは、縦方向Ｘと同方向に長い形状を有している。吸収性本体２は、その縦方向を、展開かつ伸長状態におけるおむつ１の縦方向Ｘに一致させて、外装体３の中央部に公知の接合手段（接着剤等）によって接合されている。展開かつ伸長状態とは、図２に示すように、サイドシール部Ｓを引き剥がして、おむつ１を展開状態とし、その展開状態のおむつ１を、各部の弾性部材を伸長させて、設計寸法（弾性部材の影響を一切排除した状態で平面状に広げたときの寸法と同じ）となるまで広げた状態を言う。
【００１５】
外装体３は、構成する複数の不織布の内の少なくとも一部がスパンボンド不織布である。そして、おむつ１では、該スパンボンド不織布は、各サイドシール部Ｓを形成する外装体３の腹側領域Ａ及び背側領域Ｂの接合面に、それぞれ配されている。好適に、おむつ１では、外装体３は、図２に示すとおり、吸収性本体２の縦方向Ｘの前後の端部から前後方向に延出している。また、外装体３は、図３に示すように、複数枚の不織布が積層された積層構造であり、おむつ１の縦方向Ｘに、相対的に積層された不織布の枚数の多い多積層部３ｍと、相対的に積層された不織布の枚数の少ない少積層部３ｆとを有している。更に好適には、外装体３は、おむつ１の外面（外装体３の非肌対向面）を形成する外層シート３１と、該外層シート３１の内面側に配され、おむつ１の内面（外装体３の肌対向面）を形成する内層シート３２と、両シート３１，３２間に固定された複数本の糸状又は帯状の弾性部材４とを含んで構成されている。外層シート３１及び内層シート３２は、それぞれ、腹側領域Ａから背側領域Ｂに亘って連続する一枚の不織布からなる。外層シート３１及び内層シート３２の間は、所定部位において接着剤又はヒートシール等（図示せず）の接合手段によって接合されて積層構造を形成している。
【００１６】
また、おむつ１では、外層シート３１は、図２，図３に示すように、外層シート３１と内層シート３２とによって弾性部材４を構成する後述する複数本のウエスト部弾性部材４ａを挟持固定する領域よりも更に縦方向Ｘに延出する長さを有している。この延出した外層シート３１の延出領域３１ｅは、吸収性本体２側に折り返されて、吸収性本体２の縦方向Ｘの端部を覆っており、接着剤又はヒートシール等（図示せず）の接合手段によって接合されて積層構造を形成している。おむつ１では、多積層部３ｍは、外層シート３１、内層シート３２、及び外層シート３１の延出領域３１ｅが積層した部分であり、少積層部３ｆは、外層シート３１及び内層シート３２のみが積層した部分である。このように、おむつ１では、多積層部３ｍは、外層シート３１の延出領域３１ｅが配された領域に形成されており、ウエスト開口部ＷＯの周縁から吸収性本体２の縦方向Ｘの端部を覆う位置に至る領域に形成されている。
【００１７】
おむつ１では、図２，図３に示すように、各サイドシール部Ｓを形成する外装体３の腹側領域Ａ及び背側領域Ｂの接合面に、腹側領域Ａ側の多積層部３ｍを形成する外層シート３１の延出領域３１ｅと、背側領域Ｂ側の多積層部３ｍを形成する外層シート３１の延出領域３１ｅとが配され、更に、腹側領域Ａ側の少積層部３ｆを形成する内層シート３２と、背側領域Ｂ側の少積層部３ｆを形成する内層シート３２とが配されている。上述のように、おむつ１では、各サイドシール部Ｓを形成する外装体３の腹側領域Ａ及び背側領域Ｂの接合面に、それぞれ、スパンボンド不織布が配されているため、おむつ１では、腹側領域Ａ側の外層シート３１と、背側領域Ｂ側の外層シート３１とがスパンボンド不織布で構成され、更に、腹側領域Ａ側の内層シート３２と、背側領域Ｂ側の内層シート３２とがスパンボンド不織布で構成されている。即ち、おむつ１では、外層シート３１及び内層シート３２は、それぞれ、腹側領域Ａから背側領域Ｂに亘って連続する一枚のスパンボンド不織布から構成されている。
【００１８】
前記スパンボンド不織布は、複数の繊維融着部３３を有している。繊維融着部３３は、スパンボンド不織布全体に分散配置されており、長繊維である構成繊維から形成される層において、該構成繊維を固着してスパンボンド不織布を形成するためのものであり、前述の外層シート３１及び内層シート３２の間の、積層構造を形成させるためにヒートシール等を施して形成された接合部（図示せず）は含まれない。このようなスパンボンド不織布においては、繊維融着部３３の繊維密度は、繊維融着部３３以外の他の部分の繊維密度よりも高く形成されている。
【００１９】
前記スパンボンド不織布は、その坪量が、剛性を低くする観点から、１枚当たり、２０ｇ／ｍ２以下であり、１８ｇ／ｍ２以下であることが好ましい。そして、スパンボンド不織布の坪量の下限値としては、１０ｇ／ｍ２以上であることが好ましい。尚、おむつ１では、外層シート３１に用いるスパンボンド不織布と内層シート３２に用いるスパンボンド不織布とは、坪量が同じであるが、異なっていてもよい。
おむつ１では、前記スパンボンド不織布は、構成繊維の繊維配向方向が、おむつ１の横方向Ｙと同じ方向であることが好ましい。
【００２０】
前記スパンボンド不織布の複数の繊維融着部３３は、柔軟で肌触り良い不織布となる観点から、個々の面積が、０．３ｍｍ２以下であることが好ましく、０．１ｍｍ２以上０．２５ｍｍ２以下であることが更に好ましく、０．１ｍｍ２以上０．２ｍｍ２以下であることが特に好ましい。繊維融着部３３の数は、１０個／ｃｍ２以上２５０個／ｃｍ２以下であることが好ましく、３５個／ｃｍ２以上６５個／ｃｍ２以下であることが更に好ましい。尚、おむつ１では、外層シート３１に用いるスパンボンド不織布と内層シート３２に用いるスパンボンド不織布とは、繊維融着部３３の個々の面積が同じであるが、異なっていてもよい。
【００２１】
また、前記スパンボンド不織布は、１枚当たり、複数の繊維融着部３３のエンボス率、即ち、該スパンボンド不織布の一面の表面積に占める該複数の繊維融着部３３の合計面積の割合（エンボス率）が、柔軟で肌触り良い不織布となる観点から、６％以上であることが好ましく、７％以上であることが更に好ましく、そして、１３％以下であることが好ましく、１０％以下であることが更に好ましく、具体的には、６％以上１３％以下であることが好ましく、７％以上１０％以下であることが更に好ましい。尚、おむつ１では、外層シート３１に用いるスパンボンド不織布と内層シート３２に用いるスパンボンド不織布とは、複数の繊維融着部３３のエンボス率が同じであるが、異なっていてもよい。
【００２２】
また、前記スパンボンド不織布は、繊維融着部３３のエンボスパターンが、一定であることが好ましく、おむつ１では、繊維融着部３３の配置パターンが一定で、複数の繊維融着部３３によって柄を形成している。ここで、繊維融着部３３のエンボスパターンが一定であるとは、展開かつ伸長状態のおむつ１において、繊維融着部３３が縦方向Ｘ及び横方向Ｙに一定の間隔を空けて分散配置されたエンボスパターン等が挙げられる。また、複数の繊維融着部３３によって一定の柄を形成しているとは、展開かつ伸長状態のおむつ１では、図４及び図５に示すように、縦方向Ｘ及び横方向Ｙに対して角度を有すると共に一定の間隔を空けて配置された複数の繊維融着部３３からなる第１エンボス部列３３Ｌ１が、互いに平行に且つ一定の間隔で配されており、縦方向Ｘ及び横方向Ｙに対して角度を有すると共に一定の間隔を空けて配置された複数の繊維融着部３３からなる第２エンボス部列３３Ｌ２が、互いに平行に且つ一定の間隔で配されており、各第１エンボス部列３３Ｌ１と各第２エンボス部列３３Ｌ２とが角度αをなして互いに交差しているエンボスパターン等が挙げられる。具体的に、おむつ１のエンボスパターンは、２本の第１エンボス部列３３Ｌ１，３３Ｌ１と２本の第２エンボス部列３３Ｌ２，３３Ｌ２とが交差して、一定の矩形状の柄を形成している。おむつ１では、各第１エンボス部列３３Ｌ１と各第２エンボス部列３３Ｌ２とのなす角（角度α）（図４参照）は、４５°以上であることが好ましく、６０°以上であることが更に好ましく、そして、１５０°以下であることが好ましく、１２０°以下であることが更に好ましく、具体的には、４５°以上１５０°以下であることが好ましく、６０°以上１２０°以下であることが更に好ましい。
【００２３】
前記スパンボンド不織布の複数の繊維融着部３３は、エンボス（エンボス凸ロールとフラットロールなどによる）による熱圧着により間欠的に形成されたものや、超音波融着によるもの、間欠的に熱風を加えて部分融着させたものなどが挙げられる。これらの中で熱圧着によるものが繊維を固着させやすい点で好ましい。前記繊維融着部３３の形状は、特に制限されず、例えば、円形、菱形、三角形等の任意の形状であってもよい。尚、おむつ１では、外層シート３１に用いるスパンボンド不織布と内層シート３２に用いるスパンボンド不織布とは、繊維融着部３３の形状が同じであるが、異なっていてもよい。
【００２４】
おむつ１では、図２に示すように、外装体３を構成する弾性部材４は、外層シート３１と内層シート３２との間に伸長状態で配されている。弾性部材４のうち、ウエスト開口部ＷＯの近傍に複数のウエスト部弾性部材４ａが配置されており、ウエスト部弾性部材４ａの伸縮性によって、外装体３には、ウエスト部弾性領域が形成される。また、レッグ開口部ＬＯの近傍に複数のレッグ部弾性部材４ｃが配置されており、レッグ部弾性部材４ｃの伸縮性によって、外装体３には、レッグ部弾性領域が形成される。更にウエスト部弾性部材４ａの配された領域とレッグ部弾性部材４ｃの配された領域との間の領域には、胴周り部弾性部材４ｂが配置されており、胴周り部弾性部材４ｂの伸縮性によって、胴周り部弾性領域が形成される。ウエスト部弾性領域及び胴周り部弾性領域は、外装体３の横方向Ｙに沿って伸縮性を発現している。レッグ部弾性領域は、レッグホールの曲線形状に沿って伸縮性を発現している。
【００２５】
おむつ１では、複数の胴周り部弾性部材４ｂは、横方向Ｙに伸長した状態で、図３に示すように、外層シート３１の延出領域３１ｅと内層シート３２との間に配され、更に内層シート３２と外層シート３１との間に配され固定されている。おむつ１では、胴周り部弾性部材４ｂは、図１，図２に示すように、吸収性本体２と重なる部分に、該弾性部材４ｂの伸縮性の発現が抑制された非伸縮部を有しており、それによって部分的に伸縮性の発現が抑えられている。胴周り部弾性部材４ｂにおいては、非伸縮部は伸縮しないが、非伸縮部以外の他の部分（吸収性本体２の横方向Ｙの外方に位置する部分）は伸縮する。従って、胴周り部弾性領域においては、吸収性本体２の配置領域を除く、縦方向Ｘに沿う左右両側部に、伸縮性が発現している。このように、弾性部材４ｂが吸収性本体２と重なる部分に非伸縮部を有していることにより、吸収性本体２に縦皺を生じさせることなく吸収性本体２の縦方向Ｘの端部を着用者の身体に沿わせることが可能となる。非伸縮部の形成方法としては、この種の使い捨ておむつにおいて通常用いられている方法を特に制限無く用いることができ、例えば、弾性部材４ｂを細かく分断して伸縮しないようにする方法、あるいは接着剤等を用いた接合によって弾性部材４ｂが伸縮しないようにする方法等が挙げられる。
【００２６】
サイドシール部Ｓは、シール５部が、おむつ１の縦方向Ｘに間欠的に配されて形成されている。本実施形態では、各サイドシール部Ｓは、おむつ１の縦方向Ｘに間欠的に配されたシール部５が、縦方向Ｘに一列に配されて形成されている。なお、各サイドシール部Ｓは、縦方向Ｘに間欠的に配されたシール部５が横方向Ｙに複数列並置されて形成されていても良い。おむつ１では、図１，図２に示すように、一対のサイドシール部Ｓ，Ｓは、前身頃Ｆ（腹側領域Ａ）における外装体３の縦方向Ｘに沿う左右両側縁部Ａ１，Ａ１と後身頃Ｒ（背側領域Ｂ）における外装体３の縦方向Ｘに沿う左右両側縁部Ｂ１，Ｂ１とが、合掌状に重なり合った状態で、ウエスト開口部ＷＯからレッグ開口部ＬＯに向かって縦方向Ｘに一列に配され且つ一定の間隔で間欠的に配された複数のシール部５にて接合されて形成されている。
【００２７】
おむつ１では、図２に示すように、一対のサイドシール部Ｓ，Ｓの内の一方のサイドシール部Ｓを構成するおむつ１の縦方向Ｘの最もウエスト開孔部ＷＯ側に位置するシール部５の位置と、他方のサイドシール部Ｓを構成するおむつ１の縦方向Ｘの最もウエスト開孔部ＷＯ側に位置するシール部５の位置とが一致している。そして、おむつ１では、一対のサイドシール部Ｓ，Ｓをそれぞれ構成する縦方向Ｘに間欠的に配された複数のシール部５が、縦中心線ＣＬ２に対して左右対称に配置されている。
【００２８】
シール部５は、平面視して、その形状として、特に限定されるものではないが、サイドシール部Ｓを引き剥がす際にシール部５が横裂けし難くなる観点から、おむつ１の横方向Ｙに長い長方形状、横方向Ｙに長い三角形状、横方向Ｙに長い楕円形状等であることが好ましく、おむつ１においては、図１，図４に示すように、横方向Ｙに長い長方形状に形成されている。このように、おむつ１では、各シール部５が、同一形状の長方形状に形成されている。尚、シール部５は、前身頃Ｆ（腹側領域Ａ）側から平面視した形状と、後身頃Ｒ（背側領域Ｂ）側から平面視した形状とが同じ形状となっている。
【００２９】
本発明のパンツ型吸収性物品は、サイドシール部Ｓにおける最もウエスト開口部ＷＯ側又は最もレッグ開口部ＬＯ側の縦方向Ｘに隣り合うシール部５，５どうしのピッチ（Ｐ）が、前記スパンボンド不織布を構成する隣り合う繊維融着部３３，３３どうしの最大間隔（Ｄ）よりも小さく形成されている。ピッチ（Ｐ）が最大間隔（Ｄ）よりも小さいとの関係は、各サイドシール部Ｓにおける最もウエスト開口部ＷＯ側、又は最もレッグ開口部ＬＯ側で満たしていればよいが、おむつ１では、上述したように、シール部５が縦方向Ｘに一定の間隔で間欠的に配されており、各ピッチ（Ｐ）が最大間隔（Ｄ）よりも小さく形成されている。
【００３０】
ここで、ピッチ（Ｐ）とは、図４に示すように、縦方向Ｘの隣り合うシール部５，５どうしにおいて、縦中心線ＣＬ２側のウエスト開口部ＷＯ側の先端間の距離を意味する。おむつ１では、各シール部５の形状が横方向Ｙに長い長方形状であるので、ピッチ（Ｐ）とは、縦方向Ｘの隣り合うシール部５，５どうしにおいて、縦中心線ＣＬ２側のウエスト開口部ＷＯ側の角の頂点間の距離を意味する。測定は、レーザー変位計を用いて行うか、顕微鏡観察、或いは写真撮影して測定することが出来る。
【００３１】
また、前記隣り合う繊維融着部３３，３３どうしの最大間隔（Ｄ）とは、展開かつ伸長状態のおむつ１において、繊維融着部３３の配置パターンが一定である場合には、縦方向Ｘに隣り合う繊維融着部３３，３３どうしの間隔と、横方向Ｙに隣り合う繊維融着部３３，３３どうしの間隔とを比較して、広い側の間隔を意味する。また、展開かつ伸長状態のおむつ１において、繊維融着部３３の配置パターンが一定で、複数の繊維融着部３３によって柄を形成している場合には、図５に示すように、該柄を形成している複数の繊維融着部３３の内で、最も離間している繊維融着部３３，３３どうしの間隔を意味する。このときの最も離間している繊維融着部３３，３３どうしの間隔とは、柄を形成している複数の繊維融着部３３の内で最も離間している２つの繊維融着部３３，３３を特定し、それら２つの繊維融着部３３，３３間を結ぶ距離のうち、最も離間した距離を意味する。外層シート３１に用いるスパンボンド不織布と内層シート３２に用いるスパンボンド不織布とで、繊維融着部３３の形状が異なっている場合には、内層シート３２に用いるスパンボンド不織布の繊維融着部３３，３３どうしの間隔と、外層シート３１に用いるスパンボンド不織布の繊維融着部３３，３３どうしの間隔とを比較して、広い側の間隔を意味する。測定は、レーザー変位計を用いて行うか、顕微鏡観察、或いは写真撮影して測定することが出来る。
【００３２】
前記隣り合う繊維融着部３３，３３どうしの最大間隔（Ｄ）に対する縦方向Ｘに隣り合うシール部５，５どうしのピッチ（Ｐ）の割合（（Ｐ／Ｄ）×１００）は、おむつ１の肌触りと、サイドシール部Ｓの安定したシール強度との両立の観点から、１５％以上であることが好ましく、３０％以上であることが更に好ましく、そして、８５％以下であることが好ましく、７０％以下であることが更に好ましく、具体的には、１５％以上８５％以下であることが好ましく、３０％以上７０％以下であることが更に好ましい。
【００３３】
前記隣り合う繊維融着部３３，３３どうしの最大間隔（Ｄ）は、おむつ１の肌触り向上の観点から、６ｍｍ以上であることが好ましく、８ｍｍ以上であることが更に好ましく、そして、１２ｍｍ以下であることが好ましく、１０ｍｍ以下であることが更に好ましく、具体的には、６ｍｍ以上１２ｍｍ以下であることが好ましく、８ｍｍ以上１０ｍｍ以下であることが更に好ましい。
【００３４】
上述したように、おむつ１では、各シール部５が、同一形状の長方形状に形成されている。その為、おむつ１では、シール部５は、シール部５が延びる方向（横方向Ｙ）の長さ（Ｌ）（図５参照）が、サイドシール部Ｓの安定したシール強度を確保する観点から、縦方向Ｘに隣り合うシール部５，５どうしのピッチ（Ｐ）よりも大きいことが好ましい。縦方向Ｘに隣り合うシール部５，５どうしのピッチ（Ｐ）に対するシール部５の延びる方向の長さ（Ｌ）の割合（（Ｌ／Ｐ）×１００）は、同様の観点から、４０％以上であることが好ましく、６０％以上であることが更に好ましく、そして、１２０％以下であることが好ましく、１００％以下であることが更に好ましく、具体的には、４０％以上１２０％以下であることが好ましく、６０％以上１００％以下であることが更に好ましい。
【００３５】
縦方向Ｘに隣り合うシール部５，５どうしのピッチ（Ｐ）は、サイドシール部Ｓの安定したシール強度を確保する観点から、１ｍｍ以上であることが好ましく、２ｍｍ以上であることが更に好ましく、そして、４ｍｍ以下であることが好ましく、３ｍｍ以下であることが更に好ましく、具体的には、１ｍｍ以上４ｍｍ以下であることが好ましく、２ｍｍ以上３ｍｍ以下であることが更に好ましい。
また、同様な観点から、シール部５の延びる方向の長さ（Ｌ）は、１ｍｍ以上であることが好ましく、２ｍｍ以上であることが更に好ましく、そして、４ｍｍ以下であることが好ましく、３ｍｍ以下であることが更に好ましく、具体的には、１ｍｍ以上４ｍｍ以下であることが好ましく、２ｍｍ以上３ｍｍ以下であることが更に好ましい。
【００３６】
上述したように、おむつ１では、各シール部５が、同一形状の長方形状に形成されている。その為、おむつ１では、各サイドシール部Ｓの各シール部５は、シール部５の輪郭の長さ、即ち、その周長（ＬＣ）（図５参照）が、おむつ１の肌触りと、サイドシール部Ｓの安定したシール強度との両立の観点から、繊維融着部３３，３３どうしの最大間隔（Ｄ）以下であることが好ましい。前記隣り合う繊維融着部３３，３３どうしの最大間隔（Ｄ）に対する各シール部５の輪郭の長さ（ＬＣ）の割合（（ＬＣ／Ｄ）×１００）は、同様の観点から、２０％以上であることが好ましく、４０％以上であることが更に好ましく、そして、１００％以下であることが好ましく、８０％以下であることが更に好ましく、具体的には、２０％以上１００％以下であることが好ましく、４０％以上８０％以下であることが更に好ましい。
【００３７】
おむつ１では、各シール部５の輪郭の長さ（ＬＣ）は、サイドシール部Ｓの安定したシール強度を確保する観点から、１ｍｍ以上であることが好ましく、１．５ｍｍ以上であることが更に好ましく、そして、６ｍｍ以下であることが好ましく、５ｍｍ以下であることが更に好ましく、具体的には、１ｍｍ以上６ｍｍ以下であることが好ましく、１．５ｍｍ以上５ｍｍ以下であることが更に好ましい。
【００３８】
また、おむつ１では、サイドシール部Ｓを構成するシール部５の数に対する、前記スパンボンド不織布の繊維融着部３３と重なったシール部５の数の割合が、サイドシール部Ｓの安定したシール強度との両立の観点から、各サイドシール部Ｓにおいて、３０％以上であることが好ましく、５０％以上であることが更に好ましく、そして、１００％以下であることが好ましく、８０％以下であることが更に好ましく、具体的には、３０％以上１００％以下であることが好ましく、５０％以上８０％以下であることが更に好ましい。ここで、繊維融着部３３と重なったシール部５とは、図５に示すように、シール部５の少なくとも一部が繊維融着部３３と重なっているシール部５ａを意味する。
【００３９】
おむつ１では、サイドシール部Ｓを構成する１つのシール部５の融着強度が、サイドシール部Ｓの安定したシール強度を確保する観点から、０．２Ｎ以上であることが好ましく、０．５Ｎ以上であることが更に好ましく、そして、４Ｎ以下であることが好ましく、３Ｎ以下であることが更に好ましく、具体的には、０．２Ｎ以上４Ｎ以下であることが好ましく、０．５Ｎ以上３Ｎ以下であることが更に好ましい。１つのシール部５の融着強度の測定は、以下のようにして測定する。
【００４０】
＜１つのシール部５の融着強度の測定方法＞
サイドシール部Ｓをおむつ１の縦方向Ｘに沿っておむつ１から切り取る。サイドシール部Ｓを切り取る際には、測定時に腹側領域Ａ側及び背側領域Ｂ側それぞれのつかみしろとして、サイドシール部Ｓの横方向Ｙに、長さ１０ｍｍ以上残した状態で切り取る。
次に、切り取った複数のシール部５を有する縦方向Ｘに長いサイドシール部Ｓから、縦方向Ｘでシール部５が１つ残るように、１つのシール部５を横方向Ｙに切り取り、これらをサンプル片とする。
切り取った複数のサンプル片のシール強度を引張試験機にて測定する。この測定の際には、各サンプル片における、サイドシール部Ｓの腹側領域Ａ側のつかみしろと背側領域Ｂ側のつかみしろとをチャックに挟んで、１８０度反対方向に引っ張る（Ｔ字剥離）。サンプル片のシール部５を剥離させる際の剥離の進行方向は、シール部５の幅方向（シール部５の延びる方向）と同方向である。
引張速度（チャック間距離の拡大速度）３００ｍｍ／ｍｉｎで測定を行い、最大強度を求める。５個のサンプル片で測定を行い、測定した複数のサンプル片の最大強度の平均を１つのシール部５の粘着強度（Ｎ）とする。
【００４１】
上述したおむつ１の各部の形成材料について説明する。
外装体３を構成する外層シート３１及び内層シート３２としては、上述した長繊維からなるウェブを繊維融着部３３により固定したスパンボンド不織布のみならず、長繊維から形成されるスパンボンド不織布を積層し繊維融着部３３により固定した積層不織布も含まれる。このような積層不織布としては、スパンボンド−メルトブローン−スパンボンド積層不織布（ＳＭＳ不織布）やスパンボンド−メルトブローン−メルトブローン−スパンボンド不織布（ＳＭＭＳ不織布）等が挙げられる。このような積層不織布を用いる場合、積層不織布を構成するスパンボンド不織布が、各サイドシール部Ｓを形成する外装体３の腹側領域Ａ及び背側領域Ｂの接合面に、それぞれ配されるように用いる。
【００４２】
サイドシール部Ｓを構成するシール部５は、例えば、ヒートシール、高周波シール、超音波シール等の公知の融着加工方法を用いて形成される。
【００４３】
吸収性本体２を構成する表面シート２ａ、裏面シート２ｂ及び吸収体２ｃ等としては、使い捨ておむつ等の吸収性物品に従来用いられている各種のもの等を特に制限なく用いることができる。例えば、表面シート２ａとしては、単層又は多層構造の不織布や、開孔フィルム等を用いることができる。裏面シート２ｂとしては、樹脂フィルムや樹脂フィルムと不織布の積層体等を用いることができる。吸収体２ｃとしては、パルプ繊維等の繊維の集合体（不織布であっても良い）からなる吸収性コア又はこれに吸水性ポリマーの粒子を保持させてなる吸収性コアを、ティッシュペーパ等からなるコアラップシートで被覆したものを用いることができる。
【００４４】
弾性部材４の形成素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形又は多角形状等の糸状（糸ゴム等）、若しくは紐状（平ゴム等）のもの、又はマルチフィラメントタイプの糸状のもの等を好ましく用いることができる。各部材を固定する接着剤としては、使い捨ておむつ等の吸収性物品に従来用いられている各種のホットメルト接着剤等を特に制限なく用いることができる。
【００４５】
上述したおむつ１を使用した際の作用効果について説明する。
おむつ１では、図４及び図５に示すように、サイドシール部Ｓにおける最もウエスト開口部ＷＯ側又は最もレッグ開口部ＬＯ側の縦方向Ｘに隣り合うシール部５，５どうしのピッチ（Ｐ）が、前記スパンボンド不織布を構成する隣り合う繊維融着部３３，３３どうしの最大間隔（Ｄ）よりも小さく形成されている。その為、おむつ１の肌触りが良く、サイドシール部Ｓが安定したシール強度を有している。よって、おむつ１の着用時に十分なシール強度が確保できると共に、サイドシール部Ｓを引き剥がす際には容易に引き剥がし易く、廃棄時に余計な時間と手間がかかり難い。
【００４６】
また、おむつ１では、図４及び図５に示すように、各サイドシール部Ｓにおける最もウエスト開口部ＷＯ側及び最もレッグ開口部ＬＯ側の縦方向Ｘに隣り合うシール部５，５どうしのピッチ（Ｐ）が、それぞれ、隣り合う繊維融着部３３，３３どうしの最大間隔（Ｄ）よりも小さく形成されている。その為、ウエスト開口部ＷＯ側からも、レッグ開口部ＬＯ側からもサイドシール部Ｓを引き剥がすことができ、使用勝手が良い。
【００４７】
また、おむつ１では、図４及び図５に示すように、各サイドシール部Ｓにおける縦方向Ｘに隣り合う各シール部５，５どうしのピッチ（Ｐ）が、それぞれ、隣り合う繊維融着部３３，３３どうしの最大間隔（Ｄ）よりも小さく形成されている。その為、おむつ１の着用時に十分なシール強度が更に確保できると共に、サイドシール部Ｓを引き剥がす際には更に容易に引き剥がし易く、廃棄時に余計な時間と手間がかかり難い。
【００４８】
以上本発明をその好ましい実施形態に基づき説明したが、本発明のパンツ型吸収性物品は、上述した本実施形態に何ら制限されるものではなく、適宜変更可能である。
例えば前記の実施形態は本発明をパンツ型使い捨ておむつ１に適用した例であったが、これに代えて、本発明を他のパンツ型吸収性物品、例えばパンツ型の生理用ナプキン等に適用してもよい。
【００４９】
また、前記の実施形態のおむつ１の外装体３に施されたエンボスパターンは、２本の第１エンボス部列３３Ｌ１，３３Ｌ１と２本の第２エンボス部列３３Ｌ２，３３Ｌ２とが交差して、一定の矩形状（四角形）の柄を形成しているが、四角形以外の多角形状の柄を形成していてもよい。具体的には、図６に示すように、六角形の柄を形成する構成であっても良い。また、一種類の多角形の柄を形成する以外にも、形や大きさの異なる複数種類の柄を形成する構成であっても良い。このような形状である場合、サイドシール部Ｓを構成する複数のシール部５が、横方向Ｙに平行に延びており、シール部５が延びる方向(横方向Ｙ)に対し、前記スパンボンド不織布の複数の繊維融着部３３が３種以上の角度で交差していることが好ましい。図６に示す形態では、繊維融着部３３ａと横方向Ｙに延びるシール部５との角度、繊維融着部３３ｂと横方向Ｙに延びるシール部５との角度、及び繊維融着部３３ｃと横方向Ｙに延びるシール部５との角度が、それぞれ異なっている。即ち、横方向Ｙに延びるシール部５と繊維融着部３３ａ，３３ｂ，３３ｃとが３種の角度で交差している。図６に示す形態では、おむつ１の着用時に十分なシール強度が確保できる
【００５０】
また、前記の実施形態のおむつ１は、図４に示すように、一対のサイドシール部Ｓ，Ｓの内の一方のサイドシール部Ｓを構成するおむつ１の縦方向Ｘの最もウエスト開口部ＷＯ側に位置するシール部５の位置と、他方のサイドシール部Ｓを構成するおむつ１の縦方向Ｘの最もウエスト開口部ＷＯ側に位置するシール部５の位置とが、一致しているが、異なっていてもよい。即ち、一対のサイドシール部Ｓ，Ｓをそれぞれ構成する縦方向Ｘに間欠的に配された複数のシール部５が、縦中心線ＣＬ２に対して左右非対称に配置されていてもよい。
【００５１】
また、前記の実施形態のおむつ１は、図３に示すように、外装体３の多積層部３ｍが、外層シート３１、内層シート３２、及び外層シート３１の延出領域３１ｅを積層して形成されているが、外層シート３１の延出領域３１ｅの替わりに、別体の補助シートを用いて、外層シート３１、内層シート３２、及び該補助シートを積層して形成してもよい。このような場合、内層シート３２及び該補助シートがスパンボンド不織布で形成されていればよく、外層シート３１はスパンボンド不織布で形成されていなくてもよい。また、外装体３に多積層部３ｍ及び少積層部３ｆが無く、シートが同数積層された積層構造の外装体であってもよい。このような場合、内層シート３２がスパンボンド不織布で形成されていればよく、外層シート３１はスパンボンド不織布で形成されていなくてもよい。
【００５２】
前述した本発明の実施形態に関し、更に以下のパンツ型吸収性物品を開示する。
【００５３】
＜１＞
外装体と、該外装体の内側に固定されている吸収性本体とを具備し、前記外装体は着用時に着用者の腹側に配される腹側領域と着用時に着用者の背側に配される背側領域とを有し、前記腹側領域及び前記背側領域それぞれの両側縁部が接合され、一対のサイドシール部が形成されるとともに、ウエスト開口部及び一対のレッグ開口部が形成されたパンツ型吸収性物品であって、前記外装体は、構成する複数の不織布の内の少なくとも一部がスパンボンド不織布であり、該スパンボンド不織布は、その坪量が２０ｇ／ｍ２以下であり、複数の繊維融着部を有し、前記サイドシール部を形成する前記外装体の前記腹側領域及び前記背側領域の接合面には、それぞれ、前記スパンボンド不織布が配されており、前記サイドシール部は、シール部が、前記パンツ型吸収性物品の縦方向に間欠的に配されて形成されており、前記サイドシール部における最も前記ウエスト開口部側又は最も前記レッグ開口部側の縦方向に隣り合う前記シール部どうしのピッチ（Ｐ）が、前記スパンボンド不織布を構成する隣り合う前記繊維融着部どうしの最大間隔（Ｄ）よりも小さい、パンツ型吸収性物品。
【００５４】
＜２＞
前記サイドシール部の前記シール部は、その輪郭の長さ（ＬＣ）が、前記繊維融着部どうしの最大間隔（Ｄ）以下である、前記＜１＞に記載のパンツ型吸収性物品。
＜３＞
前記サイドシール部を構成する前記シール部の数に対する、前記スパンボンド不織布の前記繊維融着部と重なった前記シール部の数の割合が、前記サイドシール部において３０％以上である前記＜１＞又は＜２＞に記載のパンツ型吸収性物品。
＜４＞
前記サイドシール部を構成する前記シール部は、該シール部が延びる方向の長さ（Ｌ）が、前記縦方向に隣り合う前記シール部どうしのピッチ（Ｐ）よりも大きい前記＜１＞〜＜３＞の何れか１に記載のパンツ型吸収性物品。
＜５＞
前記サイドシール部を構成する複数の前記シール部が、同じ方向に延びており、該シール部が延びる方向に対し、前記スパンボンド不織布の複数の前記繊維融着部が３種以上の角度で交差している前記＜１＞〜＜４＞の何れか１に記載のパンツ型吸収性物品。
＜６＞
前記スパンボンド不織布を構成する複数の前記繊維融着部のエンボス率が、６％以上１３％以下である前記＜１＞〜＜５＞の何れか１に記載のパンツ型吸収性物品。
＜７＞
前記サイドシール部を構成する１つの前記シール部の融着強度が、０．２Ｎ以上４Ｎ以下である前記＜１＞〜＜６＞の何れか１に記載のパンツ型吸収性物品。
＜８＞
前記外装体は、該外装体の非肌対向面を形成する外層シートと、該外層シートの内面側に配され、該外装体の肌対向面を形成する内層シートとを含んでおり、
前記外層シート及び前記内層シートは、それぞれ、前記腹側領域から前記背側領域に亘って連続する一枚のスパンボンド不織布から構成されている前記＜１＞〜＜７＞の何れか１に記載のパンツ型吸収性物品。
＜９＞
前記スパンボンド不織布は、その坪量が、剛性を低くする観点から、１枚当たり、２０ｇ／ｍ２以下であり、１８ｇ／ｍ２以下であることが好ましく、該スパンボンド不織布の坪量の下限値としては、１０ｇ／ｍ２以上であることが好ましい前記＜１＞〜＜８＞の何れか１に記載のパンツ型吸収性物品。
＜１０＞
前記外装体は、該外装体の非肌対向面を形成する外層シートと、該外層シートの内面側に配され、該外装体の肌対向面を形成する内層シートとを含んでおり、
前記外層シートに用いるスパンボンド不織布と前記内層シートに用いるスパンボンド不織布とは、坪量が同じである前記＜１＞〜＜９＞の何れか１に記載のパンツ型吸収性物品。
【００５５】
＜１１＞
前記スパンボンド不織布は、構成繊維の繊維配向方向が、該パンツ型吸収性物品の横方向と同じ方向である前記＜１＞〜＜１０＞の何れか１に記載のパンツ型吸収性物品。
＜１２＞
前記スパンボンド不織布の複数の前記繊維融着部は、柔軟で肌触り良い不織布となる観点から、個々の面積が、０．３ｍｍ２以下であることが好ましく、０．１ｍｍ２以上０．２５ｍｍ２以下であることが更に好ましく、０．１ｍｍ２以上０．２ｍｍ２以下であることが特に好ましい前記＜１＞〜＜１１＞の何れか１に記載のパンツ型吸収性物品。
＜１３＞
前記繊維融着部の数は、１０個／ｃｍ２以上２５０個／ｃｍ２以下であることが好ましく、３５個／ｃｍ２以上６５個／ｃｍ２以下であることが更に好ましい前記＜１＞〜＜１２＞の何れか１に記載のパンツ型吸収性物品。
＜１４＞
前記スパンボンド不織布は、１枚当たり、複数の前記繊維融着部のエンボス率、即ち、該スパンボンド不織布の一面の表面積に占める該複数の繊維融着部の合計面積の割合（エンボス率）が、柔軟で肌触り良い不織布となる観点から、６％以上であることが好ましく、７％以上であることが更に好ましく、１３％以下であることが好ましく、１０％以下であることが更に好ましい前記＜１＞〜＜１３＞の何れか１に記載のパンツ型吸収性物品。
＜１５＞
前記外装体は、該外装体の非肌対向面を形成する外層シートと、該外層シートの内面側に配され、該外装体の肌対向面を形成する内層シートとを含んでおり、
前記外層シートに用いるスパンボンド不織布と前記内層シートに用いるスパンボンド不織布とは、複数の前記繊維融着部のエンボス率が同じである前記＜１＞〜＜１４＞の何れか１に記載のパンツ型吸収性物品。
＜１６＞
前記スパンボンド不織布は、前記繊維融着部のエンボスパターンが、一定であることが好ましく、該パンツ型吸収性物品では、前記繊維融着部の配置パターンが一定で、複数の前記繊維融着部によって柄を形成している前記＜１＞〜＜１５＞の何れか１に記載のパンツ型吸収性物品。
＜１７＞
前記繊維融着部のエンボスパターンは、２本の第１エンボス部列と２本の第２エンボス部列とが交差して、一定の矩形状の柄を形成している前記＜１＞〜＜１６＞の何れか１に記載のパンツ型吸収性物品。
＜１８＞
前記繊維融着部のエンボスパターンは、２本の第１エンボス部列と２本の第２エンボス部列とが交差して、一定の矩形状の柄を形成しており、
各前記第１エンボス部列と各前記第２エンボス部列とのなす角αは、４５°以上であることが好ましく、６０°以上であることが更に好ましく、そして、１５０°以下であることが好ましく、１２０°以下であることが更に好ましい前記＜１＞〜＜１７＞の何れか１に記載のパンツ型吸収性物品。
＜１９＞
前記外装体は、該外装体の非肌対向面を形成する外層シートと、該外層シートの内面側に配され、該外装体の肌対向面を形成する内層シートとを含んでおり、
前記外層シートに用いるスパンボンド不織布と前記内層シートに用いるスパンボンド不織布とは、前記繊維融着部の形状が同じである前記＜１＞〜＜１８＞の何れか１に記載のパンツ型吸収性物品。
＜２０＞
各前記サイドシール部は、該パンツ型吸収性物品の縦方向Ｘに間欠的に配された前記シール部が、該縦方向Ｘに一列に配されて形成されている前記＜１＞〜＜１９＞の何れか１に記載のパンツ型吸収性物品。
【００５６】
＜２１＞
前記一対のサイドシール部は、前記腹側領域における前記外装体の縦方向Ｘに沿う左右両側縁部と前記背側領域における前記外装体の縦方向Ｘに沿う左右両側縁部とが、合掌状に重なり合った状態で、前記ウエスト開口部から前記レッグ開口部に向かって縦方向Ｘに一列に配され且つ一定の間隔で間欠的に配された複数の前記シール部にて接合されて形成されている前記＜１＞〜＜２０＞の何れか１に記載のパンツ型吸収性物品。
＜２２＞
前記シール部は、平面視して、その形状として、特に限定されるものではないが、おむつ１の横方向Ｙに長い長方形状、横方向Ｙに長い三角形状、横方向Ｙに長い楕円形状等であることが好ましい前記＜１＞〜＜２１＞の何れか１に記載のパンツ型吸収性物品。
＜２３＞
前記シール部は、該パンツ型吸収性物品においては、横方向Ｙに長い長方形状に形成されている前記＜１＞〜＜２２＞の何れか１に記載のパンツ型吸収性物品。
＜２４＞
隣り合う前記繊維融着部どうしの最大間隔（Ｄ）に対する縦方向Ｘに隣り合う前記シール部どうしのピッチ（Ｐ）の割合（（Ｐ／Ｄ）×１００）は、１５％以上であることが好ましく、３０％以上であることが更に好ましく、８５％以下であることが好ましく、７０％以下であることが更に好ましい前記＜１＞〜＜２３＞の何れか１に記載のパンツ型吸収性物品。
＜２５＞
隣り合う前記繊維融着部どうしの最大間隔（Ｄ）は、肌触り向上の観点から、６ｍｍ以上であることが好ましく、８ｍｍ以上であることが更に好ましく、１２ｍｍ以下であることが好ましく、１０ｍｍ以下であることが更に好ましい前記＜１＞〜＜２４＞の何れか１に記載のパンツ型吸収性物品。
＜２６＞
縦方向Ｘに隣り合う前記シール部どうしのピッチ（Ｐ）に対する該シール部の延びる方向の長さ（Ｌ）の割合（（Ｌ／Ｐ）×１００）は、４０％以上であることが好ましく、６０％以上であることが更に好ましく、そして、１２０％以下であることが好ましく、１００％以下であることが更に好ましい前記＜１＞〜＜２５＞の何れか１に記載のパンツ型吸収性物品。
＜２７＞
縦方向Ｘに隣り合う前記シール部どうしのピッチ（Ｐ）は、前記サイドシール部の安定したシール強度を確保する観点から、１ｍｍ以上であることが好ましく、２ｍｍ以上であることが更に好ましく、４ｍｍ以下であることが好ましく、３ｍｍ以下であることが更に好ましい前記＜１＞〜＜２６＞の何れか１に記載のパンツ型吸収性物品。
＜２８＞
前記シール部の延びる方向の長さ（Ｌ）は、１ｍｍ以上であることが好ましく、２ｍｍ以上であることが更に好ましく、４ｍｍ以下であることが好ましく、３ｍｍ以下であることが更に好ましい前記＜１＞〜＜２７＞の何れか１に記載のパンツ型吸収性物品。
＜２９＞
隣り合う前記繊維融着部どうしの最大間隔（Ｄ）に対する各前記シール部の輪郭の長さ（ＬＣ）の割合（（ＬＣ／Ｄ）×１００）は、２０％以上であることが好ましく、４０％以上であることが更に好ましく、１００％以下であることが好ましく、８０％以下であることが更に好ましい前記＜１＞〜＜２８＞の何れか１に記載のパンツ型吸収性物品。
＜３０＞
各前記シール部の輪郭の長さ（ＬＣ）は、１ｍｍ以上であることが好ましく、１．５ｍｍ以上であることが更に好ましく、６ｍｍ以下であることが好ましく、５ｍｍ以下であることが更に好ましい前記＜１＞〜＜２９＞の何れか１に記載のパンツ型吸収性物品。
【００５７】
＜３１＞
前記サイドシール部を構成する前記シール部の数に対する、前記スパンボンド不織布の前記繊維融着部と重なった該シール部の数の割合が、前記サイドシール部の安定したシール強度との両立の観点から、各前記サイドシール部において、３０％以上であることが好ましく、５０％以上であることが更に好ましく、１００％以下であることが好ましく、８０％以下であることが更に好ましい前記＜１＞〜＜３０＞の何れか１に記載のパンツ型吸収性物品。
＜３２＞
前記サイドシール部を構成する１つの前記シール部の融着強度が、該サイドシール部の安定したシール強度を確保する観点から、０．２Ｎ以上であることが好ましく、０．５Ｎ以上であることが更に好ましく、４Ｎ以下であることが好ましく、３Ｎ以下であることが更に好ましい前記＜１＞〜＜３１＞の何れか１に記載のパンツ型吸収性物品。
＜３３＞
前記外装体は、複数枚の不織布が積層された積層構造であり、該パンツ型吸収性物品の縦方向Ｘに、相対的に積層された不織布の枚数の多い多積層部と、相対的に積層された不織布の枚数の少ない少積層部とを有している前記＜１＞〜＜３２＞の何れか１に記載のパンツ型吸収性物品。
＜３４＞
前記外装体は、該外装体の非肌対向面を形成する外層シートと、該外層シートの内面側に配され、前記外装体の肌対向面を形成する内層シートと、前記外層シートと前記内層シートとの間に固定された複数本の糸状又は帯状の弾性部材とを含んで構成されている前記＜１＞〜＜３３＞の何れか１に記載のパンツ型吸収性物品。
＜３５＞
前記外装体は、該外装体の非肌対向面を形成する外層シートと、該外層シートの内面側に配され、該外装体の肌対向面を形成する内層シートとを含んでおり、
前記外層シート及び前記内層シートは、それぞれ、前記腹側領域から前記背側領域に亘って連続する一枚の不織布からなり、前記外層シート及び前記内層シートの間は、所定部位において接着剤又はヒートシール等の接合手段によって接合されて積層構造を形成している前記＜１＞〜＜３４＞の何れか１に記載のパンツ型吸収性物品。
＜３６＞
前記外装体は、該外装体の非肌対向面を形成する外層シートと、該外層シートの内面側に配され、前記外装体の肌対向面を形成する内層シートと、前記外層シートと前記内層シートとの間に固定された複数本の糸状又は帯状の弾性部材とを含んで構成されており、
前記外層シートは、該外層シートと前記内層シートとによって前記弾性部材を構成する複数本のウエスト部弾性部材を挟持固定する領域よりも更に縦方向Ｘに延出する長さを有しており、この延出した前記外層シートの延出領域は、前記吸収性本体側に折り返されて、該吸収性本体の縦方向Ｘの端部を覆っており、接着剤又はヒートシール等の接合手段によって接合されて積層構造を形成している前記＜１＞〜＜３５＞の何れか１に記載のパンツ型吸収性物品。
＜３７＞
前記外装体は、複数枚の不織布が積層された積層構造であり、該パンツ型吸収性物品の縦方向Ｘに、相対的に積層された不織布の枚数の多い多積層部と、相対的に積層された不織布の枚数の少ない少積層部とを有しており、
前記多積層部は、前記外層シートの前記延出領域が配された領域に形成されており、前記ウエスト開口部の周縁から前記吸収性本体の縦方向Ｘの端部を覆う位置に至る領域に形成されている前記＜３６＞に記載のパンツ型吸収性物品。
【符号の説明】
【００５８】
１  パンツ型使い捨ておむつ（パンツ型吸収性物品）
Ａ  腹側領域
Ｂ  背側領域
Ｆ  前身頃
Ｒ  後身頃
２  吸収性本体
３  外装体
３１  外層シート
３１ｅ  延出領域
３２  内層シート
３３  繊維融着部
３ｍ  多積層部
３ｆ  少積層部
４  弾性部材
４ａ  ウエスト部弾性部材
４ｂ  胴周り部弾性部材
４ｃ  レッグ部弾性部材
５  シール部
Ｓ  サイドシール部
【図１】
0006791625.tif 000002
【図２】
0006791625.tif 000003
【図３】
0006791625.tif 000004
【図４】
0006791625.tif 000005
【図５】
0006791625.tif 000006
【図６】
0006791625.tif 000007